(57)【要約】  熱源であって、熱源２２、２３の毛髪接触面と毛髪との間の直接の接触を介して伝導により毛髪を加熱するための熱源２２、２３と、熱源２２、２３からの熱と組み合わせて、毛髪による光学的放射の吸収により、毛髪スタイリングのために十分に高い温度にまで毛髪を加熱するための、光放射源２１と、を有する毛髪スタイリング装置２０において、熱源２２、２３が、光放射源２１により提供されるエネルギーから熱を得、好適な実施例においては、光放射源２１のみからエネルギーを得る。有利にも、熱源２２、２３は、光放射源２１のヒートシンクに結合されたヒートブリッジ２２を含んでも良く、前記ヒートブリッジ２２は、毛髪を加熱するための毛髪接触面を持つ。光放射源２１、３１は有利にも完全には透明ではないカバー２３により被覆され、これにより光学的放射エネルギーが熱エネルギーに変換されても良く、該熱源がカバー２３を含み、カバー２３は毛髪を加熱するための毛髪接触面を持っても良い。カバー２３は有利にも、毛髪スタイリングに効果的な波長に対しては概ね透明であり、カバー２３は、毛髪スタイリングに効果的ではない波長に対しては概ね透明ではなくても良い。有利にも、光放射源２１は、熱源２２により加熱されるカバー２３により被覆されても良い。
2020528329.tif 000002
【特許請求の範囲】
【請求項１】
熱源であって、前記熱源の毛髪接触面と毛髪との間の直接の接触を介して伝導により前記毛髪を加熱するための熱源と、
前記熱源からの熱と組み合わせて、前記毛髪による光学的放射の吸収により、毛髪スタイリングのために十分に高い温度にまで前記毛髪を加熱するための、光放射源と、
を有する毛髪スタイリング装置において、前記熱源が、前記光放射源により提供されるエネルギーから熱を得ることを特徴とする、毛髪スタイリング装置。
【請求項２】
前記熱源は、前記光放射源のヒートシンクに結合されたヒートブリッジを含み、前記ヒートブリッジは、毛髪を加熱するための毛髪接触面を持つ、請求項１に記載の毛髪スタイリング装置。
【請求項３】
前記ヒートブリッジは、前記毛髪が前記光放射源からの光にさらされる前に前記毛髪を加熱するよう構成された、請求項２に記載の毛髪スタイリング装置。
【請求項４】
前記光放射源は、少なくとも０．１秒の継続時間を持つ１回の放射フラッシュを用いて毛髪に放射するよう構成された、請求項１乃至３のいずれか一項に記載の毛髪スタイリング装置。
【請求項５】
前記光放射源は、少なくとも２回の放射フラッシュを用いて毛髪に放射するよう構成され、連続するフラッシュ間の間隔は、５秒よりも短く、好適には１秒よりも短く、更に好適には０．３秒よりも短い、請求項１乃至３のいずれか一項に記載の毛髪スタイリング装置。
【請求項６】
前記光放射源は完全には透明ではないカバーにより被覆され、これにより光学的放射エネルギーが熱エネルギーに変換され、前記熱源が前記カバーを含み、前記カバーは前記毛髪を加熱するための毛髪接触面を持つ、請求項１乃至５のいずれか一項に記載の毛髪スタイリング装置。
【請求項７】
前記カバーは、毛髪スタイリングに効果的な波長に対しては概ね透明であり、前記カバーは、毛髪スタイリングに効果的ではない波長に対しては概ね透明ではない、請求項６に記載の毛髪スタイリング装置。
【請求項８】
前記光放射源は、前記熱源により加熱されるカバーにより被覆された、請求項１乃至５のいずれか一項に記載の毛髪スタイリング装置。
【請求項９】
第１の部分と第２の部分とを持ち、前記第１の部分と前記第２の部分との間に毛髪が位置づけられ、各前記部分が、それぞれの光放射源を持ち、前記第１の部分における光放射源は、前記第２の部分における光放射源に向かない、請求項１乃至８のいずれか一項に記載の毛髪スタイリング装置。
【請求項１０】
各前記部分において、光を側方に反射させるための反射材料が、隣接少なくともる光放射源の間に配置された、請求項９に記載の毛髪スタイリング装置。
【請求項１１】
毛髪表面における出力エネルギーフルエンスが、１Ｊ／ｃｍ２と１０Ｊ／ｃｍ２との間の範囲内であり、好適には３Ｊ／ｃｍ２と７Ｊ／ｃｍ２との間、更に好適には４Ｊ／ｃｍ２と６Ｊ／ｃｍ２との間である、請求項１乃至１０のいずれか一項に記載の毛髪スタイリング装置。
【請求項１２】
前記熱源は、前記毛髪が前記光放射源からの光にさらされる前に、１００℃を超えない、好適には７０℃と９０℃との間にある、第１の温度にまで、前記毛髪を予加熱するための加熱器を有する、請求項１乃至１１のいずれか一項に記載の毛髪スタイリング装置。
【発明の詳細な説明】
【技術分野】
【０００１】
本発明は、例えば毛髪のクリンピング、カーリング、パーミング及びストレートニングのための、毛髪スタイリング装置に関する。
【背景技術】
【０００２】
国際特許出願公開WO2014/108775は、毛髪ストレートニング形成溶液蒸気を用いて毛髪をストレートニングするためのシステムであって、電気供給源に接続された毛髪ストレートニングアイロンを有し、該毛髪ストレートニングアイロンは、それぞれが内面に加熱ブロックを持つ一対の加圧部材を有し、該加圧部材は、ヒンジにより接合され、該加熱ブロックは、該加圧部材のそれぞれの中に収容された蒸気導通トンネルに接続された穴を有し、前記システムは更に、前記アイロンの終端に接続され、前記蒸気導通トンネルへと開く、蒸気導通管と、他方の端において前記蒸気導通管に接続された気化器と、を有し、該気化器は、電気の供給源及び加熱要素により加熱されるよう構成された容器に接続された加熱要素を有する、システムを開示している。本発明の特定の実施例においては、光源からの可視又は不可視の光の放射によって、毛髪が加熱される。ストレートニングアイロンは、窓の背後に配置された光源からの光を通過させるための透明な窓を有しても良い。殆どの光源におけるように、電気エネルギーの殆どが熱に変換される。一般に、ＬＥＤについては、ワット−ワット効率、即ち入力される電力に対する発せられる光のパワーが、赤色光の４０％から緑色光の１５％に亘る。高い効率で光源を動作させ、光源の損傷を防止するためには、熱が取り除かれる必要がある。光源からの熱消散の工程は、２つの段階で達成され得る。第１の段階は、大きな熱エネルギーを吸収する外部のヒートシンクへと、光源から熱エネルギーを輸送することを含む。第２の段階においては、熱が周囲の環境へと放散させられる。このことは主に、自然の又は強制された空気の対流により達成される。強制された空気の対流は一般に、ヒートシンクを冷却するための電動ファンを含む。その結果の加熱された空気は更に、空気導通チャネルを通して運ばれ、ストレートニングアイロンのブレード部に配置された換気開口を通して押し出される。その結果の熱い空気が更に、毛髪を加熱するために利用されても良い。
【０００３】
国際特許出願公開WO2017/080957A1（参照により本明細書に組み込まれたものとする）は、１５０℃よりも高くない第１の温度にまで毛髪を加熱するための熱源と、該熱源からの熱と組み合わせて毛髪スタイリングのために十分に高い該第１の温度を超える第２の温度にまで毛髪の皮質を選択的に加熱するための放射源と、を有する毛髪スタイリング装置を開示している。該熱源は例えば、キューティクルの損傷に対する臨界温度よりも低い例えば１２０℃である第１の温度にまで直接に又は間接的に加熱される熱プレートにより形成されても良い。該放射源は、数ミリ秒乃至数秒の継続時間の間、スタイリングのために十分に高い約１７０℃である第２の温度にまで皮質を選択的に加熱する、４００ｎｍと６００ｎｍとの間、好適には４５０ｎｍと５５０ｎｍとの間の波長範囲を発するための、例えば連続波、パルスレーザ光源又はローパスフィルタを備えた高強度パルス光装置により形成されても良い。
【発明の概要】
【発明が解決しようとする課題】
【０００４】
本発明の目的は、数あるなかでも、効率の良い毛髪スタイリング装置を提供することにある。本発明は、独立請求項により定義される。有利な実施例は、従属請求項において定義される。
【課題を解決するための手段】
【０００５】
本発明の実施例は、熱源であって、前記熱源の毛髪接触面と毛髪との間の直接の接触を介して伝導により前記毛髪を加熱するための熱源と、前記熱源からの熱と組み合わせて、前記毛髪による光学的放射の吸収により、毛髪スタイリングのために十分に高い温度にまで前記毛髪を加熱するための、光放射源と、を有する毛髪スタイリング装置において、前記熱源が、前記光放射源により提供されるエネルギーから熱を得るものであり、好適には前記熱源が、前記光放射源のみからエネルギーを得る、毛髪スタイリング装置を提供する。有利にも、前記熱源は、前記光放射源のヒートシンクに結合されたヒートブリッジを含んでも良く、前記ヒートブリッジは、毛髪を加熱するための毛髪接触面を持つ。前記光放射源は有利にも完全には透明ではないカバーにより被覆され、これにより光学的放射エネルギーが熱エネルギーに変換されても良く、前記熱源が前記カバーを含み、前記カバーは前記毛髪を加熱するための毛髪接触面を持っても良い。前記カバーは有利にも、毛髪スタイリングに効果的な波長に対しては概ね透明であり、前記カバーは、毛髪スタイリングに効果的ではない波長に対しては概ね透明ではなくても良い。有利にも、前記光放射源は、前記熱源により加熱されるカバーにより被覆されても良い。
【０００６】
本発明のこれらの及び他の態様は、以下に説明される実施例を参照しながら説明され明らかとなるであろう。
【図面の簡単な説明】
【０００７】
【図１（Ａ）】本発明の実施例を示す。
【図１（Ｂ）】本発明の実施例を示す。
【図１（Ｃ）】本発明の実施例を示す。
【図１（Ｄ）】本発明の実施例を示す。
【図１（Ｅ）】本発明の実施例を示す。
【図２（Ａ）】本発明の実施例を示す。
【図２（Ｂ）】本発明の実施例を示す。
【図３】本発明の実施例を示す。
【図４】本発明の実施例を示す。
【発明を実施するための形態】
【０００８】
本発明の実施例は、本出願人の以前の欧州特許出願EP3216368（整理番号2016PF00294、参照によりここで本明細に組み込まれたものとする）に開示されたタイプのハンドヘルド型毛髪スタイリング装置を想定するものであり、該装置は、
光エネルギーを毛髪に供給するよう構成されたパルス駆動された発光ダイオード（ＬＥＤ）又はＬＥＤのアレイを有し、
出力波長は４００乃至９００ｎｍであり、ここで４００乃至６５０ｎｍの範囲で好適な結果をもたらし、好適には４５０乃至５５０ｎｍの範囲内であり、
パルス幅は５０乃至３００ｍｓであり、好適には５０乃至２００ｍｓであり、例えば１００乃至２００ｍｓの範囲内、又は５０ｍｓと１００ｍｓとの間であり、該装置は更に、
前記ＬＥＤを駆動するためのＬＥＤパルス駆動回路と、
ＬＥＤパルス駆動回路を制御するため、特に電圧、パルス継続時間及びパルスのデューティサイクルを含むパルス電気パラメータを制御する、制御システムと、
前記ＬＥＤにより提供されるパルス光への暴露の間、毛髪に接触し、例えば平面状や円筒形のような予め設定された形状に該毛髪を保持するよう構成された、毛髪接触インタフェースと、
毛髪の光暴露の間、迷光を遮断するよう構成された光学的遮蔽部と、
を有する。該光学的遮蔽部は、例えば内側面を反射性に構成することにより毛髪の房から脱出した光の最大限の再利用を提供するよう構成され、放物面形状を持つよう構成される。
【０００９】
４００ｎｍと９００ｎｍとの間の波長範囲、好適には４５０ｎｍと５５０ｎｍとの間の波長範囲が、毛髪の選択的な加熱に最適な波長範囲であると考えられる。しかしながら、８００ｎｍと１０００ｎｍとの間の範囲における高輝度高効率ＬＥＤの出力光は、より好適な浸透深さに帰着し得る。斯かる長い波長においては、短い波長を用いる場合よりも吸収が比較的小さいが、斯かる８００ｎｍと１０００ｎｍとの間の範囲における光を発するＬＥＤによるスタイリングは、高出力の近赤外ＬＥＤを用いるよりもコスト効率が高くなり得る。
【００１０】
パルス幅は、中出力ＬＥＤによる必要とされるフルエンスを実現するため、１．５ｓまで達しても良い。
【００１１】
一度に加熱されるべき毛髪の体積の熱緩和時間定数は、約２００ｍｓと考えられる。
【００１２】
実験において、茶色い毛髪の房が、金属のロッド（直径１５ｍｍ）に巻きつけられ、３Ｊ／ｃｍ２のエネルギーフルエンス及び１００ｍｓのパルス幅を持つ６５０ｎｍのＬＥＤの１３２ユニットのアレイにさらされた。このことは、明確なカーリング効果に帰着した。
【００１３】
特定範囲の波長（好適には４００ｎｍと９００ｎｍとの間、更に好適には４００ｎｍと５００ｎｍとの間）、及び短い時間内（好適には３００ｍｓより短い）での吸収により、毛髪、特に毛髪のメラニンを、光が選択的に加熱する。光パルスへの暴露の後、体積、吸収率及び初期温度に依存して、毛髪温度が上昇する。
【００１４】
処置の最初において、毛髪は室温（例えば２０℃）である。次いで、高強度光パルスの後、毛髪温度が上昇する。０．０５乃至１．５ｓの時間フレーム内で、１８０℃の温度上昇が実現され得る。しかしながら、約０．１ｓの時間フレーム内で、当該温度上昇を実現するための光フラッシュは、大きな光学的パワーを必要とする。殆どの場合において、（消費者向け装置の）ＬＥＤエンジンは、これを為すために十分には強力ではない。更に、ＬＥＤが２回フラッシュさせられるか又はより長いパルス継続時間（＞０．３ｓ）のものである場合、かなり低いパワー要件で、従って低いコストで、同じ温度上昇が実現され得る。
【００１５】
毛髪に光エネルギーを供給するよう構成された発光ダイオード（ＬＥＤ）は、熱も生成する。ＬＥＤは非常にエネルギー効率が良いものとして知られるが、最もエネルギー効率の良いＬＥＤ（2017年）を用い、例えば青色光の場合、電気入力の約５０％が光エネルギーとなる。しかしながら、他の光源に比べれば好適であるが、依然として入力エネルギーの５０％が浪費される（熱）ことを意味する。本発明の原理によれば、この熱が無駄にされない。熱拡散率は、吸収よりも伝導について低くなり得るが、毛髪に向けられる全ての形態の熱が、光学的な要件を低減させるために用いられ得るため、有益である。
【００１６】
従って、ＬＥＤは光エネルギーだけでなく、ヒートシンクによりＬＥＤから除去される必要がある熱エネルギーも生成するため、当該熱は、毛髪が光にさらされる前に毛髪を予加熱するために有用な態様で有利に利用され得る。その結果、こうすることにより毛髪が例えば６０℃の温度にまで予加熱される場合、ＬＥＤは、室温（例えば２０℃）から毛髪スタイリングに十分な温度（即ちガラス転移温度より高い温度）にまで加熱する代わりに、当該６０℃から毛髪スタイリングに十分な温度にまで加熱するだけで良い。従って、ＬＥＤは毛髪に少ない光エネルギーを提供するだけで良く、ＬＥＤからの熱が効率良く再利用される。
【００１７】
斯くして本発明の一態様は、吸収及び伝導により毛髪を加熱するものである。このことは幾つかの態様で実行され得る。最初に吸収（光エネルギー）により毛髪を加熱し、次いで伝導により光源の生成された熱を毛髪へと供給する。又はこの逆でも良い。最終的にこのことは、ＬＥＤの加熱の間、光学系の要件を低減させるか、又はいずれの効率の低下をも少なくとも補償する。本発明の一実施例によれば、最初のＬＥＤからの（例えばヒートシンクからの）浪費される熱を用いて伝導により毛髪を加熱し、その後にのみ、光エネルギーの吸収によって毛髪を加熱することが好適であり、なぜならこのようにすることにより、毛髪が損傷を受け得るような温度である、スタイリング効果を得るために十分に熱い温度にまで、接触面がなる必要がないからである。従って、毛髪が光にさらされる前に伝導により毛髪を予加熱することは、毛髪の健康のためにかなり好適である。また、加熱プレートの温度を変化させるのに時間がかかるため、熱により毛髪が損傷を受けない温度にまでのみ加熱プレートが加熱する場合には、本システムは最終的な温度をかなり迅速に利用することができ、当該温度に加えて、毛髪スタイリングのために必要とされる熱レベルは、単に略同時にスイッチオフされ得る光エネルギーの吸収の結果として実現される。同じ理由のため、光源の両側に伝導性の加熱プレートを持ち（例えば図１Ｂ乃至１Ｅに示される）、伝導される熱が、光が毛髪に当てられる前及び後の両方で毛髪に加えられるシステム、又は毛髪スタイリングのために有用な帯域幅の外の光を熱に変換し（例えば図４に示される）、伝導される熱が、光と同時に毛髪に加えられるシステムにおいては、伝導により熱を伝送するための接触面（この場合には例えばＬＥＤの部分的に透明なカバー）が、スタイリングに必要とされる温度よりも低い温度であり、当該温度に加えて、毛髪スタイリングに必要とされる熱レベルは、単に光エネルギーの吸収の結果として実現される。
【００１８】
一実施例においては、毛髪を特定の温度にまで光熱的に加熱するため、毛髪から短い距離（＜１ｃｍ）で高強度光源（ＬＥＤ）がフラッシュさせられる。このことは、短い高強度パルス（＜０．１ｓ）を用いて実行され得るが、このことは多くの光学的パワー（＞４Ｊ／ｃｍ２）を必要とする。複数回のフラッシュにより、又はより長い暴露時間（＞０．３ｓ）で、毛髪を加熱することが、より効率的である。複数のフラッシュについては、ここでもまた、毛髪の熱緩和時間内でパルス生成することが好適である。このことは光学系の要件を低減させ、新たなベースラインとして上昇させられた毛髪温度が用いられることができる。光のフラッシュの直後（＜５ｓ、より好適には＜１ｓ、最も好適には＜０．３ｓ）、毛髪温度（Ｔ０）が上昇させられる。温度上昇は一時的なものに過ぎず、時間とともに低下する。それ故、フラッシュ間の間隔が短いほど、毛髪が冷却させられる時間が少なくなる。その結果、長い間隔（＞０．３ｓ）を持つ２つの個々の光フラッシュに比べて、短い間隔（＜０．２ｓ）を持つ２つの同一の光フラッシュの後のほうが、毛髪温度は高い。
【００１９】
従って、本発明の一実施例の特徴は、毛髪が複数の光フラッシュのうちの２つにおいて加熱され、このとき連続するパルス間の光の間隔が好適には、毛髪の体積の熱緩和時間内（＜０．３ｓ）となるようにする点である。
【００２０】
より長いパルス継続時間（＞０．３ｓ）内で毛髪を加熱するため、光学的な要件が低減させられても良いが、このとき、小さなデューティサイクル（例えば０．１ｓ）に比べて、ダイオードがかなり加熱することとなる（約１００℃）。生成された熱は、最終的に、光学的な効果を低下させる。通常、この熱は冷却され環境（空気）に消散させられるが、ここでは、光システムの熱損失を再利用することが、本発明の一態様である。一実施例においては、このことは、ＬＥＤのヒートシンクと処置領域との間に熱的に隔離されたブリッジを生成することにより為される。このようにして、光エンジンの生成された熱が、伝導によって毛髪に供給される。このことは、光学系の要件を低減させ、又は、少なくともＬＥＤの加熱の間のいずれの効率低下をも補償する。
【００２１】
本発明の実施例は斯くして、光源のヒートシンクが、発光処置領域に隣接して配置された「熱プレート」に熱的に接続される構成を提供し、これにより光システムの熱損失が再利用され、毛髪に導かれることを確実にする。本発明の一実施例によれば、光源のみが熱を生成する。
【００２２】
図１Ａ乃至１Ｅに示された、ＬＥＤの熱の再利用の実施例は、毛髪ストレートナ（straightener）の形をとるハンドヘルド型毛髪スタイリング装置２０を特徴とし、内部に発光ダイオード（ＬＥＤ）のアレイを備えた露光ユニット２１を有する。図１Ａは、該毛髪ストレートナの側面図を示し、図１Ｂは、該毛髪ストレートナの一方の脚部の断面図を示す。ＬＥＤのヒートシンクは、ＬＥＤ処置領域に隣接するヒートブリッジ２２に熱的に接続される。本実施例においては、毛髪は、光にさらされる前にヒートブリッジ２２と接触する。このようにして、毛髪はヒートブリッジ２２及び露光ユニット２１の両方によって加熱され、必要とされるスタイリング温度（１２０乃至１８０℃）がヒートブリッジ２２による伝導熱と露光ユニット２１からの光の吸収との組み合わせによって得られるため、より少ない光学的パワーしか必要とされない。熱プレートの熱拡散率は光子吸収に比べて小さいため、ヒートブリッジ２２の接触面積は好適には、かなりの毛髪温度上昇を可能とするために、可能な限り大きい。これらの実施例においては、熱源の毛髪接触面と毛髪との間の直接の接触を介した伝導により毛髪を加熱するための熱源は、ヒートブリッジ２２を含む。従って、図１Ａ乃至１Ｅは、熱源（ヒートブリッジ２２により形成される）からの熱と組み合わせて、毛髪による光放射の吸収によって、毛髪スタイリングのために十分に高い温度にまで毛髪を加熱するための、光放射源（ＬＥＤにより形成される露光ユニット２１により形成される）を示す。
【００２３】
ＬＥＤ光が目に入ることを防ぐため、ＬＥＤは該装置が閉じられている場合にのみ、即ち図１Ａの毛髪ストレートナの脚部が、毛髪が該脚部の間にクランプされた位置にある場合にのみ、電力供給され、斯かる位置にあることは、当該ストレートナの脚部が互いに接触した場合にのみ押されるスイッチによって検出されても良い。
【００２４】
図１Ｃ乃至１Ｅは、ヒートブリッジ２２の部分の間の領域における、毛髪ストレートナ２０の上側脚部及び下側脚部におけるＬＥＤの有利な配置を示す。当該配置は、以下の考慮に基づく。毛髪ストレートナの２つの脚部の間に毛髪がクランプされていない場合、又は毛髪が全体の処置領域をカバーしていない場合には、該毛髪ストレートナの上側及び下側脚部におけるＬＥＤが互いを照明する。これらＬＥＤは、反対側の部材からの光を吸収し、加熱し始め、ＬＥＤの寿命に悪影響を与えることとなる。次いで、放射が毛髪以外の物質により吸収されると、処置のために利用されないこととなる。それ故、図１Ｃ乃至１Ｅの実施例においては、対向するＬＥＤが「位相を外されて」配置され、即ち該毛髪ストレートナの一方の脚部におけるＬＥＤが、該毛髪ストレートナの他方の脚部における別のＬＥＤに面しないようにされる。反対側の空の空間に反射性材料が用いられる場合には、光子が再利用され得る。反射された光は好適には、該光が発せられたＬＥＤに導かれて戻らないようにされるべきであるため、該反射性材料は、側方に反射するものであるべきである（ここで側方との概念は、光が発せられたＬＥＤに戻るような光の反射を除く全ての方向をカバーする）。
【００２５】
有利にも、各脚部において、毛髪に接触するヒートブリッジ２２の対の間の領域は、側面から、又はカバーがヒートブリッジ２２をもカバーするために、ヒートブリッジ２２により加熱される、透明なカバーを備える。このようにして、熱が毛髪に加えられる領域が増大させられる。好適には、該透明なカバーは完全には透明ではなく、毛髪スタイリングに有用ではない１０００ｎｍより大きい波長を吸収する。このようにして、毛髪を処置するのに効果的ではない波長が、処置領域を加熱するために用いられ、この熱は毛髪スタイリングに有用となる。
【００２６】
図２Ａに示された本発明の第２の実施例は、（例えば国際特許出願公開WO2016/042476又はWO2017/029382に示されたようなタイプの）オートカーラ（auto-curler）を示し、本発明により、毛髪Ｈが最初に、ＬＥＤユニット２１からの光Ｌにさらされ円筒部Ｃのまわりに巻き付けられる前に、ヒートブリッジ２２に沿ってガイドされる。ヒートブリッジ２２は、毛髪ＨがＬＥＤユニット２１からの光Ｌにさらされる前に、ＬＥＤユニット２１により生成される熱が、毛髪Ｈを予加熱するために利用されることを確実にする。光Ｌは該オードカーラの中の毛髪にのみ当てられるため、光が目に到達するリスクがなく、当該装置は本質的に安全である。
【００２７】
図２Ｂに示された代替の実施例においては、円筒部Ｃは、１００℃よりも幾分低い温度、好適には７０℃と９０℃との間の温度にまで加熱される。本実施例においては、ＬＥＤユニット２１は、毛髪Ｈが最初にヒートブリッジ２２及び円筒部Ｃからの熱にさらされるように配置される。毛髪Ｈがヒートブリッジ２２及び円筒部Ｃによって予加熱されるため、毛髪スタイリングのために十分な温度にまで加熱するためのＬＥＤユニット２１からの光エネルギーがあまり必要ではない。更なる改善は、ヒートブリッジ２２及び円筒部Ｃによる予加熱に起因する毛髪温度を測定するための、好適には赤外センサであるセンサＳを提供し、フィードフォワード制御装置（図示されていない）が、ＬＥＤユニット２１をフィードフォワード制御するため、センサＳからの信号に依存して光放射源（ＬＥＤユニット２１）を制御する。図２Ｂの実施例においては、熱源２２の熱の一部は、ＬＥＤユニット２１に起因する。
【００２８】
図３に示された本発明の他の実施例は、発光ダイオード（ＬＥＤ）を備えた露光ユニット３１（例えばロッド型のもの）を有する、ハンドヘルド型カーリング装置３０（例えばオードカーラ）を特徴とする。露光ユニット３１は、処置されるべき毛髪が巻き付けられる透明な材料によりカバーされる。全ての発せられた光子が毛髪スタイリングのために最適に利用されることを確実にするため、露光ユニット３１のまわりの毛髪カーリング装置３０の内部は反射性であっても良い。
【００２９】
選択肢１：該透明な材料において、発せられるＬＥＤ光に対して理想的には完全に透明であるが、毛髪を介して反射された又は伝導された熱を吸収する、フィルタが含められる。該フィルタは、外側から内側へとのみ機能する。反対方向には機能しない。
【００３０】
選択肢２：該透明な材料において、１０００ｎｍよりも短い波長（特に４００ｎｍと１０００ｎｍとの間、即ち毛髪スタイリングに有用な波長）に対して透明であり、毛髪スタイリングに有用ではない１０００ｎｍより大きな波長を吸収するフィルタが含まれる。このようにして、毛髪を処置するのに効果的でない波長が処置領域を加熱するために用いられ、該熱が再び毛髪スタイリングに有用となる。選択肢１及び２において、吸収された熱は該透明な材料を加熱し、それにより熱源の毛髪接触面と毛髪との間の直接の接触を介して伝導により毛髪を加熱するための熱源を形成する。
【００３１】
選択肢３：該透明な材料において、発せられるＬＥＤ光に対して透明であり、ＬＥＤのヒートシンクに熱的に接続される、フィルタが含められる。このようにして、該透明な材料は約６０℃乃至１００℃にまで加熱され、それにより熱源の毛髪接触面と毛髪との間の直接の接触を介して伝導により毛髪を加熱するための熱源を形成する。
【００３２】
選択肢４：露光ユニット３１の表面のまわりにおいて、ＬＥＤのストリップがＬＥＤのヒートシンクのストリップと交番し、熱源の毛髪接触面と毛髪との間の直接の接触を介して伝導により毛髪を加熱するための熱源を形成する。該ストリップは好適には、ロッド型の露光ユニット３１の長手方向に向けられる。
【００３３】
以上の選択肢１乃至４の１つ以上が組み合わせられても良い。
【００３４】
図４の実施例において、光エンジン２１を被覆する透明なカバー２３（例えばポリカーボネート又はガラスからつくられる）は、光に対して完全には透明ではない（８０％以上透明）。このようにして、カバー２３は加熱され、伝導を介して毛髪を（予）加熱する。他の実施例においては、光エンジンを被覆する透明なカバー２３は、４００ｎｍと１０００ｎｍとの間の波長、即ち毛髪スタイリングに有用な波長に対してのみ透明である。他の波長はカバー２３において吸収され、カバープレートを加熱する。この熱は、伝導を介して毛髪を（予）加熱するために用いられ、従ってここでもまた毛髪スタイリングに有用である。完全には透明でないカバーを用いることの更なる利点は、処置されるときに毛髪から出て行く湿気がカバー上で凝縮しないことであり、もし凝縮するとすると毛髪への光エネルギーの流れを妨げる。図４に示されるように、カバー２３はヒートブリッジ２２を被覆しても良く、これによればカバー２３はヒートブリッジ２２によっても加熱される。この場合には、熱源の毛髪接触面と毛髪との間の直接の接触を介して伝導により毛髪を加熱するための熱源は、ヒートブリッジ２２とカバー２３との両方を有し、該カバーは熱源の接触面を形成する。
【００３５】
一実施例においては、該システムは、毛髪をスタイリングするためにパルス型のＬＥＤを用いる。出力波長は好適には４００ｎｍと９００ｎｍとの間の範囲内であり、より好適には４５０ｎｍと５５０ｎｍとの間の範囲内である。パルス幅は好適には２００ｍ以短であり、より好適には１００ｍｓ以短である。毛髪が損傷を受けることを防止するため、毛髪表面における出力エネルギーフルエンスは、好適には１Ｊ／ｃｍ２と１０Ｊ／ｃｍ２との間の範囲内であり、好適には３Ｊ／ｃｍ２と７Ｊ／ｃｍ２との間、更に好適には４Ｊ／ｃｍ２と６Ｊ／ｃｍ２との間である。ＬＥＤの熱は「ヒートブリッジ」を介して処置領域に向けてガイドされ、光フィルタ（吸収部）は処置領域に含められても良い。
【００３６】
要約すると、本発明の実施例は、吸収及び伝導の両方により毛髪を加熱及びスタイリングする技術を特徴としている。主に毛髪は吸収（光エネルギー）により加熱される。しかしながら、光生成の間に熱も生成される。後者は、本工程において浪費されず、システムへと再利用されて、光学系の要件を低減させるか、又はＬＥＤの加熱の間のいずれの効率低下をも少なくとも補償する。
【００３７】
本出願と同じ優先日の欧州特許出願EP17190266.1（整理番号2017PF02406、参照により本明細に組み込まれたものとする）において詳細に示されているように、本発明の実施例は、光エネルギーを毛髪に供給するための光エンジンを有する毛髪スタイリング装置であって、毛髪に与えられる光エネルギーに応答して毛髪から湿気が出て該毛髪スタイリング装置からも出ることを可能とするよう構成された、毛髪スタイリング装置に関する。好適には、該光エンジンは、毛髪スタイリングのための単独のエネルギー源である。換気器が、該光エンジンから湿気を移動させても良い。プロセッサが該光エンジンを制御しても良く、この場合には該換気器は該プロセッサ及び／又は光エンジンを冷却するようにも機能しても良い。該毛髪スタイリング装置は、毛髪が間にガイドされスタイリングされることを可能とするよう配置されたクランプ部材を有しても良く、該クランプ部材の少なくとも１つが該光エンジンを備える。該クランプ部材の少なくとも１つは、湿気が出ることを可能とするための開口を備えても良いし、又は該毛髪スタイリング装置から出るように湿気を運ぶよう空気が入ることを可能とするための開口を備えても良い。該クランプ部材は、該毛髪スタイリング装置から湿気が出ることを可能とするため、一致しない形状を持っても良い。光エンジンを有する毛髪処置領域は、毛髪がガイドされることができる間隙を持っても良く、該間隙は、湿気が出ることを可能とするのに十分に広い。該間隙の幅は、０．３ｍｍと５ｍｍとの間、好適には１ｍｍと２ｍｍとの間であっても良い。
【００３８】
本出願と同じ優先日の欧州特許出願EP17190268.7（整理番号2017PF02407、参照により本明細に組み込まれたものとする）において詳細に示されているように、本発明の実施例は、毛髪に放射するための光放射源と、毛髪への放射による効果を測定するためのセンサユニットと、該センサユニットからの信号に依存して該光放射源を制御するためのフィードフォワード制御装置と、を有する毛髪スタイリング装置に関する。該光放射源は、光熱毛髪再整形に必要とされるより低いものであっても良い第１のエネルギー密度を持つ第１のフラッシュを生成しても良く、該第１のフラッシュに応答して得られたセンサ信号に依存して後続するフラッシュを生成するよう該光放射源が制御され、該後続するフラッシュは少なくとも該第１のエネルギー密度を持っても良い。該センサユニットは、毛髪の流れ方向において該光放射源よりも前に配置されたセンサを含んでも良い。該毛髪スタイリング装置は、毛髪がガイドされる方向に沿って、第１のセンサと、該第１のセンサからの信号に依存して制御される第１のＬＥＤユニットと、第２のセンサと、該第２のセンサからの信号に依存して制御される第２のＬＥＤユニットと、を有しても良い。該毛髪スタイリング装置と通して毛髪がガイドされる方向が、該光放射源のどの部分が該第１のＬＥＤユニットとして機能するかを決定しても良い。該毛髪スタイリング装置は、該センサユニットからの信号に依存して該フィードフォワード制御装置により制御される速度で該光放射源に沿って毛髪を動かすための駆動機構を有しても良い。
【００３９】
本出願と同じ優先日の欧州特許出願EP17190269.5（整理番号2017PF02408、参照により本明細に組み込まれたものとする）において詳細に示されているように、本発明の実施例は、毛髪をスタイリング温度にするための要素の２次元アレイを持ち、該要素が光放射エネルギーを生成する、毛髪スタイリング装置に関する。該要素は、１つ以上のＬＥＤ、好適には複数のＬＥＤを含んでも良く、この場合には、該ＬＥＤは、相互に異なる形状及びサイズのものであっても良いクラスタで駆動される。該毛髪スタイリング装置は、要素の２次元のアレイに対向する領域光吸収測定を得るためのセンサと、該測位に依存して該要素を個別に制御するための制御ユニットと、を有しても良い。該毛髪スタイリング装置は、２つの側から毛髪に放射しても良く、いずれの側も領域光吸収測定を含んでも良い。該センサは、一時的に光を生成しないＬＥＤを含んでも良い。
【００４０】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。「有する（comprise）」なる語は、請求項に記載されたもの以外の要素又はステップの存在を除外するものではない。要素に先行する「１つの（a又はan）」なる語は、複数の斯かる要素の存在を除外するものではない。光学放射源を制御するための制御ユニットは、幾つかの別個の要素を有するハードウェアによって、及び適切にプログラムされたプロセッサによって実装されても良い。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図１Ａ】
2020528329.tif 000003
【図１Ｂ】
2020528329.tif 000004
【図１Ｃ】
2020528329.tif 000005
【図１Ｄ】
2020528329.tif 000006
【図１Ｅ】
2020528329.tif 000007
【図２Ａ】
2020528329.tif 000008
【図２Ｂ】
2020528329.tif 000009
【図３】
2020528329.tif 000010
【図４】
2020528329.tif 000011
【国際調査報告】
2020528329.tif 000012
2020528329.tif 000013
2020528329.tif 000014